(57)【要約】【課題】  レンズ無しのときに受光センサで検出できない測定指標についても、「０Ｄ基準」における座標情報を得る。【解決手段】  レンズが測定光路に配置されないレンズ無しの状態を基準とし、レンズを測定光路に配置したときに受光センサで検出される測定光束の座標変化に基づいてレンズの光学特性を測定するレンズメータは、レンズ無しの状態で受光センサの受光面より広い範囲に亘って分布した複数のドット状の測定指標と、受光センサの受光面が測定指標を受光可能な範囲を持つと仮定して，レンズメータの組立て調整時に予め得ておいた測定指標の各座標を記憶する記憶手段と、レンズメータの使用時に，レンズ無しの状態で，受光センサにて現実に検出される測定指標の座標情報と記憶された座標情報とに基づいて，受光センサで検出されなかった測定指標の座標を復元する演算手段とを備える。【選択図】      図４
2005241605.tif 000002
【特許請求の範囲】
【請求項１】
被検レンズに光束を投光し、被検レンズを透過した光束を受光センサで受光する測定光学系を持ち、被検レンズが測定光路に配置されないレンズ無しの状態を基準とし、被検レンズを測定光路に配置したときに前記受光センサの受光面で検出される測定光束の座標変化に基づいて被検レンズの光学特性を測定するレンズメータにおいて、前記測定光学系に設けられた測定指標であって，レンズ無しの状態で前記受光センサの受光面より広い範囲に亘って分布した複数のドット状の測定指標と、前記受光センサの受光面が前記測定指標を受光可能な範囲を持つと仮定して，レンズメータの組立て調整時に予め得ておいた前記測定指標の各座標を記憶する記憶手段と、レンズメータの使用時に，レンズ無しの状態で，前記受光センサにて現実に検出される測定指標の座標情報と前記記憶手段に記憶された座標情報とに基づいて，前記受光センサで検出されなかった測定指標の座標を復元する演算手段と、を備えることを特徴とするレンズメータ。
【請求項２】
請求項１の測定指標は、レンズ無しの状態では前記受光センサが受光可能な範囲の外にあり、被検レンズの測定光路への配置によってプリズム度数が発生したときに前記受光センサに受光される測定指標を含むものであることを特徴とするレンズメータ。
【請求項３】
請求項１のレンズメータにおいて、レンズメータの組立て調整時に前記記憶手段に記憶される測定指標の記憶情報は、レンズ無しの状態で前記受光センサの受光面で検出されない測定指標の座標について、測定光路に光束偏位用の光学部材を用いて前記受光センサに受光させることにより得ることを特徴とするレンズメータ。
【請求項４】
請求項１の測定指標は、前記受光センサに検出される各測定指標の対応関係を特定するための基準となる基準指標を含み、前記演算手段は、前記受光センサにて現実に検出される基準指標の座標と前記記憶手段に記憶された基準指標の座標とを一致させた後、他の対応する少なくとも一部の指標の座標を一致させることにより、前記受光センサで検出されなかった測定指標の座標を復元することを特徴とするレンズメータ。
【請求項５】
請求項１の演算手段は、レンズメータの使用時の電源投入をトリガ信号として，レンズ無しの状態において前記受光センサで検出されなかった測定指標を含む各測定指標の座標を「０Ｄ基準」の座標として求める手段であることを特徴とするレンズメータ。
【発明の詳細な説明】
【技術分野】
【０００１】
本発明は、被検レンズの光学特性を測定するレンズメータに関する。
【背景技術】
【０００２】
被検レンズに光束を投光し、被検レンズを透過した光束を受光センサで受光し、その受光センサの出力に基づいてレンズの光学特性を測定するレンズメータが知られている。この種のレンズメータにおいては、電源投入時のレンズ無しの状態を基準として、受光センサ上で検出される測定指標像の座標を得ておき、レンズが置かれた場合の測定指標像の座標変化からレンズの光学特性を求めている（例えば、特許文献１参照）。
【０００３】
また、被検レンズを載置するノーズピースの開口内に測定光束が通過する開口等の複数の測定指標を設け、複数の測定位置を同時に測定可能にしたレンズメータが、下記特許文献２にて提案されている。
【特許文献１】特開昭５０−１４５２４９号公報
【特許文献２】特開２００３−７５２９６号公報
【発明の開示】
【発明が解決しようとする課題】
【０００４】
ところで、従来のレンズメータにおける測定指標の配列は、受光センサの受光面より狭い領域に限られていた。しかし、累進焦点レンズや二重焦点レンズの加入部のように、光学中心付近でない部分を測定するレンズの場合、プリズム度数が発生するので、測定指標像が受光センサの受光面から外れてしまい、測定に必要な測定指標が不足してしまっていた。受光センサの受光面サイズが広いものは、入手が容易で無く、高価である。
【０００５】
この問題の対応として、受光センサより広い範囲に測定指標を設けようとすると、次の問題がある。すなわち、レンズ無しの状態では測定指標像が受光センサの受光面から外れてしまうため、レンズ無しの状態の、いわゆる「０Ｄ基準」における測定指標像の座標を得ることができなかった。
【０００６】
本発明は、上記問題点に鑑み、レンズ無しのときに受光センサで検出できない測定指標についても、「０Ｄ基準」における座標情報を得ることができるレンズメータを提供することを技術課題とする。
【課題を解決するための手段】
【０００７】
上記課題を解決するために、本発明は以下のような構成を備えることを特徴とする。
【０００８】
（１）  被検レンズに光束を投光し、被検レンズを透過した光束を受光センサで受光する測定光学系を持ち、被検レンズが測定光路に配置されないレンズ無しの状態を基準とし、被検レンズを測定光路に配置したときに前記受光センサの受光面で検出される測定光束の座標変化に基づいて被検レンズの光学特性を測定するレンズメータにおいて、前記測定光学系に設けられた測定指標であって，レンズ無しの状態で前記受光センサの受光面より広い範囲に亘って分布した複数のドット状の測定指標と、前記受光センサの受光面が前記測定指標を受光可能な範囲を持つと仮定して，レンズメータの組立て調整時に予め得ておいた前記測定指標の各座標を記憶する記憶手段と、レンズメータの使用時に，レンズ無しの状態で，前記受光センサにて現実に検出される測定指標の座標情報と前記記憶手段に記憶された座標情報とに基づいて，前記受光センサで検出されなかった測定指標の座標を復元する演算手段と、を備えることを特徴とする。
（２）  （１）の測定指標は、レンズ無しの状態では前記受光センサが受光可能な範囲の外にあり、被検レンズの測定光路への配置によってプリズム度数が発生したときに前記受光センサに受光される測定指標を含むものであることを特徴とする。
（３）  （１）のレンズメータにおいて、レンズメータの組立て調整時に前記記憶手段に記憶される測定指標の記憶情報は、レンズ無しの状態で前記受光センサの受光面で検出されない測定指標の座標について、測定光路に光束偏位用の光学部材を用いて前記受光センサに受光させることにより得ることを特徴とする。
（４）  （１）の測定指標は、前記受光センサに検出される各測定指標の対応関係を特定するための基準となる基準指標を含み、前記演算手段は、前記受光センサにて現実に検出される基準指標の座標と前記記憶手段に記憶された基準指標の座標とを一致させた後、他の対応する少なくとも一部の指標の座標を一致させることにより、前記受光センサで検出されなかった測定指標の座標を復元することを特徴とする。
（５）  （１）の演算手段は、レンズメータの使用時の電源投入をトリガ信号として，レンズ無しの状態において前記受光センサで検出されなかった測定指標を含む各測定指標の座標を「０Ｄ基準」の座標として求める手段であることを特徴とする。
【発明の効果】
【０００９】
本発明によれば、レンズ無しのときに受光センサで検出できない測定指標像についても、「０Ｄ基準」における座標情報を得ることができる。このため、測定範囲を広げることが可能になり、累進焦点レンズ等の測定が容易になる。また、経年変化等により、測定指標板や受光センサに位置ずれがあっても、正確な測定に対応できる。
【発明を実施するための最良の形態】
【００１０】
本発明の実施の形態を図面に基いて説明する。図１は実施形態のレンズメータ装置の外観略図である。
【００１１】
１はレンズメータ本体である。２はＬＣＤ等で構成されたディスプレイであり、測定結果やアライメント用のターゲット等の測定に必要な情報が表示される。３は入力用のスイッチであり、ディスプレイ２上に表示されるスイッチ表示に対応したものを押すことにより、測定モードの切換え等の必要な入力指示を行うことができる。４は被検レンズＬＥが置かれ、測定時の基点となるノーズピースである。５はレンズ押えであり、これを下に降ろすことでノーズピース４上に載せられたレンズＬＥを安定して保持することができる。
【００１２】
６は前後方向に移動可能なレンズ当てであり、眼鏡フレーム入りレンズＬＥの測定において左右フレームの下端（眼鏡装用状態における下端）に当接させて安定させることにより、乱視軸角度測定を正確に行うことができる。７は印点機構である。８はレンズＬＥの光学特性データを読み取るためのＲＥＡＤスイッチである。スイッチ８を押すことにより、測定値がディスプレイ２にホールド表示されると共に、装置内部のメモリに記憶される。９は装置に電源を投入する電源スイッチである。
【００１３】
図２は光学系と制御系の概略構成図である。１０は測定光学系であり、Ｌ１はその測定光軸である。測定光学系１０は、ＬＥＤ等の測定光源１１、コリメーティングレンズ１２、ミラー１３、測定指標が形成された測定指標板であるグリッド板１４、２次元受光センサ１５を備える。グリッド板１４は本体１の保持部材１６に保持され、グリッド板１４の上にノーズピース４の開口４ａが位置する。その開口４ａは、直径８ｍｍの円形である。
【００１４】
図３は、グリッド板１４に形成された指標パターンを示す図である。グリッド板１４の外径はノーズピース４の開口４ａの内径よりやや大きく形成されている。グリッド板１４の後面（受光センサ１５側の面）には、多数の円形孔からなる測定指標２０が形成されている。本実施例のおける測定指標２０は、測定光軸Ｌ１が通る中心位置に形成された直径０．４ｍｍの中心孔２１と、その回りに格子状に配置された直径φ０．２ｍｍの多数の小孔２２からなる。小孔２２は０．５ｍｍピッチで格子状に分布されている。その分布した個数は約２００個であり、受光センサ１５の受光面（有効画像）のサイズより広い直径７ｍｍ程の範囲とされている。受光センサ１５は、例えば、一般に入手が容易で安価な６ｍｍ×４．８ｍｍのサイズを持つものを使用できる。受光センサ１５の受光面の外にある小孔２２は、被検レンズＬＥの測定光路に配置されることによってプリズム度数が発生したときにも、受光センサ１５に受光されるように設けられたものである。測定指標２０は、孔２１及び孔２２を白抜きした黒Ｃｒコートをグリッド板１４の後面に施すことにより形成することができる。
【００１５】
測定光源１１からの光束は、コリメーティングレンズ１２により平行光束とされた後、ミラー１３により反射され、ノーズピース４上に載置されるレンズＬＥに投光される。レンズＬＥを透過した光の内、グリッド板１４の孔２１及び孔２２を通過した光束が受光センサ１５に入射する。
【００１６】
なお、ノーズピース４の開口４ａからグリッド板１４までの距離、グリッド板１４から受光センサ１５までの距離は、測定可能なマイナスパワーのレンズ（例えば、マイナス２５Ｄ）及びプリスム（例えば、プリズム量１０Δ）をノーズピース４上に置いたときにも、中心孔２１のドット像が受光センサ１５の受光面で常に受光されるように設計されている。中心孔２１（後述する中心ドット像２１Ｐ）は、他の孔２１の対応関係を特定するための基準指標、すなわち、レンズＬＥ無しの状態の「０Ｄ基準」に対して、レンズＬＥが置かれたときに対応する各ドット像を特定するための基準指標として使用される。基準指標しては、他の測定指標と区別できれば、グリッド板１４の中心に限らず、他の場所にあたっても良いし、その個数や形状も限定されない。
【００１７】
受光センサ１５からの出力信号は制御部４０に入力される。制御部４０には、組立て調整時の各ドット像の座標を記憶する不揮発メモリ４１、装置の電源投入時にレンズＬＥ無しの状態で検出される「０Ｄ基準」のドット像の座標及び測定情報等を記憶するメモリ４２が接続されている。制御部４０は、レンズＬＥが置かれていない場合に受光センサ１５に入射した各孔２２のドット像の座標位置を基準にし、屈折力を持つレンズＬＥを置いた場合の各ドット像の位置変化から、レンズＬＥの光学特性（球面度数Ｓ、柱面度数Ｃ、乱視軸角度Ａ、プリズム量Δ）を演算する。例えば、球面度数のみを持つレンズＬＥが置かれた場合は、レンズＬＥが無い場合に対して、各ドット像はレンズＬＥの光学中心から円形状に等距離に拡大、縮小する。この拡大又は縮小量に基づいて球面度数Ｓが求められる。また、柱面度数Ｃのみを持つレンズＬＥが置かれた場合は、レンズＬＥが無い場合に対して、各ドット像はレンズＬＥの軸中心から楕円状に拡大又は縮小する。この拡大又は縮小量に基づいて柱面度数Ｃ、乱視軸角度Ａが求められる。また、プリズム量Δは、レンズＬＥの中心ドット像又はその付近のドット像の平行移動量によって求められる。球面度数、柱面度数及びプリズムを持つレンズはこれらの複合と考えれば良い（特開昭５０−１４５２４９を参照）。
【００１８】
ここで、レンズＬＥの光学特性は、隣接する４つ（少なくとも３つ）のドット像を１組として演算する他、３×３点，４×４点，または５×５点等のドット像を１組とし、各ドット像の平均変化から光学特性を算出しても良い。その場合の測定位置は１組のドット像範囲の中心位置、あるいは特定のドット像位置として決めておく。隣りの場所の測定位置は、１ドット分ずらして演算することにより、測定位置の分解能を落とさずに測定できる。３×３点以上のドットを１組として演算する場合は、ゴミ等により一部のドット像が検出できなくても、その測定位置の演算が可能である。従って、本装置の測定指標の構成によれば、ノーズピース開口４ａ内にて複数の測定位置の情報が一度に得られる。すなわち、ノーズピース開口４ａ内における光学特性の分布情報が得られる。このため、累進レンズにおいては、現在の測定位置が遠用部にあるか否かを効率良く判定することができる。同様に現在の測定位置が近用部にあるか否かを判定することができる。
【００１９】
また、上記の光学構成におけるグリッド板１４の配置は、ノーズピース４に載置される被検レンズＬＥより光源１１側にしても良い。また、グリッド板１４と同様な測定光束を得るように、光源１１を二次元配置して測定指標を形成する構成も可能である。
【００２０】
次に、以上のように受光センサ１５の受光面より広い範囲にある測定指標（孔２１及び孔２２）を持つ構成において、孔２１及び孔２２を通過した測定光束による各ドット像の座標についての「０Ｄ基準」を得る方法を説明する。
【００２１】
まず、装置（レンズメータ）の組立て調整時に、レンズ無しの状態で受光センサ１５に測定光束が入射するドット像の座標を測定する。図４（ａ）は、レンズ無しのときに、受光センサ１５の受光面に入射するドット像座標の位置関係を示した図である。図において、Ｓは受光センサ１５で受光可能な受光面の領域を示す。２１Ｐは中心孔２１によるドット像であり、２２Ｐは他の孔２２によるドット像を示す。この段階では、領域Ｓに入射した測定光束による各ドット像２２Ｐの座標と共に、中心ドット像２１の中心座標（又は中心孔２１付近の複数のドット像２２の座標情報から求めた仮想的な中心座標）の情報を得て、これを不揮発メモリ４１に記憶させておく。
【００２２】
次に、プリズム部材等の光束偏位用の光学部材を用いて、図４（ａ）における領域Ｓ外のドット像２２Ｐを形成する測定光束が受光領域Ｓに入るようにし、中心ドット像２１Ｐから周辺部のドット像２２Ｐまでの座標を測定する。例えば、度数１０Δを持つプリズム部材を用いて、図４（ｂ）のように、図上の左側周辺部までの測定光束を受光センサ１５の領域Ｓに入射させ、そのドット像２２Ｐの座標を得る。このとき、好ましくは、先に測定したグリッド板１４の中央部のドット像２２Ｐと今回測定したドット像２２Ｐとの共通部分のドット像間隔を比較し、その変化比率を求める。これは、プリズム部材を介在させたことによる倍率変化を補正するためである。この変化比率に基づいて、先の測定と今回の測定における非共通分のドット像２２の座標を、プリズム部材が無い状態の中心ドット像２１Ｐを基準とした座標に置き換え、これをメモリ４１に記憶させる。同様に、プリズム部材の基底方向を変えることで、他の非共通部分のドット像２２Ｐを測定し、プリズムが無い状態の全ドット像２２Ｐの座標をメモリ４１に記憶させる。グリッド板１４に形成される測定指標、そのグリッド板１４や受光センサ１５の取付け位置は、装置毎の固体差があるので、装置毎にドット像の座標情報を記憶させておく。すなわち、メモリ４１には、レンズ無しの状態で、受光センサ１５の受光面の領域Ｓが測定に使用するドット像２２Ｐを受光可能な範囲を持つと仮定したときに検出されるドット像２２Ｐの各座標が記憶される。
【００２３】
なお、周辺部のドット像２２Ｐの座標を求める上では、始めに測定したグリッド板１４の中心部とのドット像間隔との変化比率を用いることにより、周辺部の測定光束によるドット像が受光センサ１５に入射すれば、プリズム部材の度数は問わず、また、プリズム部材の基底方向も厳密に水平・垂直にする必要は無い。また、組立て調整時に使用する光束偏位用の光学部材としては、プリズム部材でなく、プラスの球面度数を持つ単焦点レンズを使用しても良く、この場合は一度に全方向の周辺ドット像２２Ｐを測定することが可能である。
【００２４】
以降、制御部４０は、レンズメータの使用時に、電源スイッチ９により電源投入がなされる都度、これをトリガ信号として、測定光束が受光センサ１５に入射する範囲のドット像２１Ｐ及び２２Ｐの座標を測定し、レンズＬＥ無しの「０Ｄ基準」における各ドット像の座標を得る。この時、測定光束が入射しない範囲のドット像座標については、調整時に記憶しておいた各ドット像の座標情報と今回測定した座標情報との対応するドット像の座標を比較することにより、今回現実に検出されなかったドット像座標を含む全ドット像の座標情報を復元する。
【００２５】
例えば、装置の電源投入時に検出される中心ドット像２１Ｐ及びその付近の３×３点のドット像２２（使用するドット像数はさらに増やしても良い）と、メモリ４１に記憶されている同一対応点のドット像と、の座標情報を比較する。経年変化等で、グリッド板１４や受光センサ１５の位置ずれが生じている場合、両者の座標をそのまま比較することはできない。そこで、先ず、両者の中心ドット像２１Ｐの座標が一致するように、メモリ４１に記憶してある全ドット像の座標を移動させる。次に、中心ドット像２１Ｐを挟み、水平又は垂直方向の位置にある２点を選定し、今回検出された２点と記憶されている２点の方向が一致するように、記憶されている全ドット像の座標を回転させる。続いて、中心ドット像２１Ｐの付近にある複数のドット像２２Ｐについて、その水平・垂直方向の間隔の平均を求め、記憶されている同一ドット像２２についての間隔の比率を計算する。そして、中心ドット像２１Ｐを基準に記憶されている各ドット像の座標を、計算された比率を基に拡大又は縮小させる。このようにして求めた全ドット像の座標を、受光センサ１５に測定光束が入射しなかった範囲のドット像座標として設定しなおすことで、各ドット像の「０Ｄ基準」を得ることができる。すなわち、受光センサ１５の受光面が十分に大きいと仮定したときの、各ドット像の「０Ｄ基準」のドット像座標を得ることができる。この「０Ｄ基準」のドット像座標は、メモリ４２に記憶される。
【００２６】
上記における組立て調整時にメモリ４１に記憶させる各ドット像の座標情報は、全ドット像と中心ドット像の座標値が好ましいが、メモリの記憶容量を節約する場合は、レンズ無しの状態で受光センサ１５に測定光束が入射しない範囲のドット像座標，回転補正に必要なドット座標，中心ドット像の座標，及び中心付近の水平・垂直間隔の平均値等、［０Ｄ基準］の補正に必要な一部の情報だけでも良い。
【００２７】
また、電源投入時に、測定光学系のゴミ等で正常に検出ができなかったドット像の座標は、予めメモリ４１に記憶されている情報から補うことも可能である。さらに、電源投入時に検出できたドット像の間隔とメモリ４１に記憶されているドット像の間隔とを比較し、その変化が許容値を越えていれば、グリッド板１４等の測定光学系に異常があると判定し、その旨をディスプレイ２上に表示する構成とすると良い。電源投入時に、レンズＬＥがノーズピース４上に載せられているときも、この判定からエラーメッセージを表示することもできる。
【００２８】
次に、累進レンズの測定について、図５を用いて説明する。なお、光学特性は、３×３点のドット像の平均変化から演算し、測定位置はその中心位置とする。
【００２９】
スイッチ３を押して累進レンズの測定モードにした後、レンズＬＥの遠用部付近をノーズピース４の上に載せると、ディスプレイ２上には、累進レンズを模したサークルを持つアライメント画面が表示され、その中に遠用部のアライメント用の中心ガイド１００、ターゲット１０１が表れる（図５（ａ）参照）。ディスプレイ２を見ながらアライメントをし、遠用部の測定ポイントを合わせる。この時、図１に示すようにレンズ当て６の当接面６ａに眼鏡の左右枠の下端（本明細書では、眼鏡枠やレンズの上下とは眼鏡を装用した状態での上下を意味するものとして使用する）を同時に当接させる。
【００３０】
累進レンズの遠用部は、乱視度数がない場合には、レンズの左右方向のプリズム量が０となる縦軸線上（眼鏡を装用した状態の上下方向を縦方向とする）に存在する。この縦軸線上では水平方向のプリズム量が略０であるため、中心ドット像の位置又はその付近の複数のドット像位置からプリズム量が求められ、これに基づいて現在の測定位置が遠用部にあるか否か、遠用部が何れの方向にずれているかが判定される。ノーズピース開口４ａ内に遠用部がないと判定された場合は、中心ガイド１００に対してターゲット１０１が右又は左に表示される。これに従って、検者がレンズＬＥを右または左に移動させることにより、水平プリズム量が略０になると、ターゲット１０１が中心ガイド１００の縦線に一致するように表示される。
【００３１】
水平プリズム量が略０となった後は、中心ドット像を中心とした３×３点のドット像と、それより１ドット分上方向及び下方向に位置する３×３点のドット像の各組について等価球面値を計算することにより、測定位置が累進帯に位置している否かが判定される。上下方向において、少なくとも３個の測定位置の屈折力がほぼ同じであれば、上下方向の測定位置が遠用部または遠用部とほぼ同じの領域にあると判定される。また、中心ドット像より下方向に位置するドット像の組から求められる等価球面値に対して、上方向に位置するドット像の組から求められる等価球面値が大きければ、測定位置が累進帯に位置していると判断される。この場合、検者に被検レンズをレンズ上方に移動させる（レンズを装置奥側に押す）指示として、矢印１０２（図５（ｂ）参照）が表示される。上下方向の各位置の等価球面値がほぼ同じと判断されれば、ターゲット１０１の表示が大十字１０５に変化し（図５（ｃ）参照）、検者に遠用部のアライメント完了の旨が報知される。同時に、遠用部の測定値がメモリ４２に記憶される。
【００３２】
乱視度数を持つレンズの場合は、遠用部位置の水平プリズム量が０とはならないため補正を行う必要があるが、乱視度数が球面度数よりも大きい場合などでは補正量の誤差が大きくなる場合もある。このため、横方向のドット像の組による各測定位置の乱視度数を求め、中心ドット像の組により求められる乱視度数が最小になるように被検レンズＬＥを移動させるべく、ターゲット１０１が表示される。
【００３３】
遠用部位置の記録として印点を施す場合は、水平プリズム量が略０または乱視度数が最小となる測定位置を、ノーズピース開口４ａの中央部に持ってくるようにアライメントする。遠用部のおおよその屈折力を得ることを目的とする場合は、アライメント操作を厳密に行わなくても良い。すなわち、左右方向のアライメントについては、中心ドット像周辺のドット像の組に限らず、他のドット像の組による測定位置の水平プリズム量が略０となれば良い。上下方向のアライメントについても、上下方向で測定可能な範囲の等価球面値がほぼ同じであれば良い。この場合、水平プリズム量、乱視度数と等価球面値が最小となる位置の度数が遠用部の測定値とされる。
【００３４】
遠用部の測定値がメモリ４２に記憶されると、近用部の測定ステップに移る。図５（ｄ）に示すように、アライメント画面にはレンズを手前側に移動させる誘導としての矢印マーク１２１が表示される。レンズの移動により測定エリアが遠用部から外れ、累進帯に位置していると判断されると、コロナターゲット１２０が表示される。レンズの移動に伴いコロナターゲット１２０も移動する。その移動は、レンズ上下方向のプリズム量の変化又は加入度の変化を移動量に換算して行う。制御部４０は連続的に測定を行う。
【００３５】
近用部付近も屈折力がほぼ一定であると考えられる。例えば、中心ドット像の付近の４つのドット像と、中心ドット像より上方向及び下方向に位置する４つのドット像の各組についての屈折力を求め、等価球面値の差が大きければまだ累進帯にあると判定される。上下方向の少なくとも３位置の等価球面値がほぼ同じ、または中心ドット像を中心としたドット像の組にピークがある場合は、その上下方向の測定位置は近用部にあると判断される。
【００３６】
また、左右方向については、先に測定した遠用部の乱視度数と現在測定される乱視度数の差の絶対値を光学歪み量として、中心ドット像の左方向及び右方向の各ドット像で得られる各位置の光学歪み量を求め、中心ドット像の組による光学歪み量が最小値となれば左右方向の位置も近用部にあると判定される。光学歪み量の最小値が右方向にあれば、図５（ｅ）に示すように、コロナターゲット１２０が中心より右側にずれた位置に表示され、被検レンズを右方向に移動させる旨が検者に報知される。
【００３７】
上下方向及び左右方向の測定位置が共に近用部にあれば、図５（ｆ）のように、コロナターゲット１２０の回りに方形形状のサイン１２２が表示され、近用部が見つかったことを検者に報知される。このとき、中心ドット像の組による等価球面値から先に得られた遠用部の等価球面値を差し引いた値が加入度数とされ、ディスプレイ２上に表示される。検者がＲＥＡＤスイッチ８を押すことにより、近用部測定値がメモリ４２に記憶される。
【００３８】
なお、おおよその屈折力を得て加入度を知ることを目的とする場合は（通常はこの場合が多い）、上下方向の等価球面値がほぼ同じで、かつ光学歪み量が略０の位置が測定エリア内にあれば良しとしても良い。この場合は、これらの条件を満たす位置の屈折力により加入度が表示される。また、方装置では、ノーズピース開口４ａ内で多数の測定位置における光学特性の分布が得られるため、遠用部の測定が終了した後に、レンズを直接近用部付近に移動させて測定することもできる。すなわち、上下方向の等価球面値の差が大きければレンズを下方に移動させ、左右の光学歪み量の小さい方向に移動させていけば良い。中央部の光学歪み量が最小であれば、累進帯の中央にあると判定される。この判定に従ってコロナターゲット１２０、矢印マーク１２１等の表示制御が行われる。累進帯に沿って移動させた場合も、上記近用部位置判定方法に従った判定及び移動操作で対応できる。
【図面の簡単な説明】
【００３９】
【図１】レンズメータ装置の外観略図である。
【図２】光学系と制御系の概略構成図である。
【図３】グリッド板に形成された指標パターンを示す図である。
【図４】組立て調整時における、受光センサの受光面に入射するドット像座標の位置関係を示した図である。
【図５】累進レンズの測定時のアライメント表示を示す図である。
【符号の説明】
【００４０】
１  レンズメータ本体
２  ディスプレイ
３  ノーズピース
１０  測定光学系
１１  測定光源
１４  グリッド板
１５  受光センサ
２０  測定指標
２１  中心孔
２２  小孔
【図１】
2005241605.tif 000003
【図２】
2005241605.tif 000004
【図３】
2005241605.tif 000005
【図４】
2005241605.tif 000006
【図５】
2005241605.tif 000007